(57)【要約】【課題】より幅が広いバンドに適用した場合であっても、ワンタッチで確実にバンドの端部を留めることができ、強風下においても信頼性が高い長寿命の留具を提供する。【解決手段】嵌入部４４内に嵌入された基部５５の前記延出部４２，４２間に臨む面の両側縁に壁部５３，５３を立設して係合凸部４３に係合させる係合凹部５４にしてある。ロック部４の延出部４２，４２間内に係止部５２が挿入するまで回動された巻戻防止ピン５を嵌入部４４の深さ方向及び幅方向へ撓ませて、係止部５２の係合凹部５４をロック部４の係合凸部４３，４３の何れか一方に係合させ、巻戻防止ピン５をロック部４にワンタッチでロックさせる。【選択図】図１
2006217862.tif 000002
【特許請求の範囲】
【請求項１】
適当な距離を隔てて互いに平行に配した両側柱部の一端側に、帯体を挿入する挿入部と前記帯体を巻回させる巻回部とが設けてあり、両側柱部の他端側に前記巻回部に巻回させた帯体の巻き戻りを防止する巻戻防止部が開閉自在に設けてあり、巻戻防止部が開状態で、前記巻回部に帯体の端部及び／又はその近傍を巻回させて、巻戻防止部を閉状態になすことによって、当該帯体の端部を留める留具において、
一方の側柱部の他端に設けたヒンジ部に杆状の巻戻防止部の一端が、前記側柱部の長手方向と交わる方向の軸周りに回動自在に軸支してあり、他方の側柱部の他端には、環状体の一部に開口を設けた嵌入部内に前記巻戻防止部の他端部を嵌入させてロックするロック部が設けてあることを特徴とする留具。
【請求項２】
前記嵌入部は、他方の側柱部の他端に所要距離を隔てて立設した両側壁部の先端部にそれぞれ両側壁部の内側へ延出させた延出部を設けてなり、両延出部には嵌入部の底部へ向かう凸部がそれぞれ設けてあり、
前記巻戻防止部の他端部は両延出部の間を通過し得る幅寸法になしてあり、この他端部には、前記凸部に係合させる係合部が設けてある
請求項１記載の留具。
【発明の詳細な説明】
【技術分野】
【０００１】
本発明は、複数の骨材上を合成樹脂製のシートで覆ってなる、所謂ビニルハウスにおいて、前記シートを骨材に押圧すべく、シート上に張設した帯状部材の端部を留める留具に関する。
【背景技術】
【０００２】
複数の骨材上に合成樹脂製のシートを展張させてなる、所謂ビニルハウスにあっては、シートを骨材に押圧する複数のハウスバンドをビニルハウスの長手方向へ適宜の間隔で配置し、各ハウスバンドをシート上に、ビニルハウスの一側から他側に亘って張設させることによって、前記シートが風で煽られることを可及的に抑制している。かかるビニルハウスでは塩化ビニル製のシートが用いられており、この場合、ゴム紐状のハウスバンドの両端をビニルハウスの両側下部に配設した横材にそれぞれ繋止させることによって、当該ハウスバンドを張設させていた。
【０００３】
また、比較的幅が狭い帯状のハウスバンドの両端を、前記両横材にそれぞれ外嵌させた先端フック状のバンド留具の基端部によって挟持固定する場合もあった（たとえば、特許文献１参照。）。
【０００４】
ところで、前述した塩化ビニル製のシートに代えて、農業用ポリオレフィン系のシートが用いられる場合がある。これは、前者のシートに比べて後者のシートの方が、透明度が高い上に寿命が長く、更に、後者のシートは、燃焼させても有害なガスを発生しないため焼却処理を行なうことができるからである。ところが、農業用ポリオレフィン系のシートを用いた場合、当該シートの摩擦耐性が小さいので、擦れによって破損し易いという問題があった。そこで、展張したシートとハウスバンドとの間に擦れが生じることを可及的に防止すべく、当該シートを同じ材料を用いてなり、比較的幅が広い帯状のハウスバンドが用いられており、かかるハウスバンドの端部を留めるために、次のような留具が開発されている（たとえば、特許文献２参照。）。
【０００５】
図９は、従来の留具の正面図であり、図１０は、図９に示した留具の使用様態を示す側断面図である。図９及び図１０に示した如く、留具８０は、２段梯子形状の本体８１の中央両段部をバンド巻回部８６，８７にしてなり、両バンド巻回部８６，８７の間上には、本体８１の両側柱部８２，８２の間の内寸より少し長い寸法の棒状のバンド挿通部８８が、両バンド巻回部８６，８７と平行に配置してある。このバンド挿通部８８は、本体８１の一方の側柱部８２の正面側であって前記両バンド巻回部８６，８７の間の位置に突設した支持部によって片持支持されており、バンド挿通部８８の解放端から帯状のバンドＶを、バンド挿通部８８と両バンド巻回部８６，８７との間に挿通させるようになっている。
【０００６】
また、前述した両側柱部８６，８７の一端近傍の正裏面には、後述するストッパ杆８３が嵌合する嵌合凹部８２ａ，８２ａ、８２ａ（８２ａ）がそれぞれ設けてあり、一方の側柱部８２の一端近傍の外側面から、可撓性を有する帯板状のヒンジ部８４が延出してある。ストッパ杆部８３は、前記嵌合凹部８２ａ，８２ａに内嵌する幅寸法であり、両側柱部８２，８２の間の外寸より少し長い長さ寸法を有する杆状部の両端に、前記両側柱部８２，８２の側面に係止する係止部８３ａ，８３ａを突設してなり、前述したヒンジ部８４の先端は一方の係止部８３ａの略中央に連結してある。
【０００７】
このような留具８０によって、図１０に示した如く、ハウスの一側下縁に配置した横パイプに一端を掛け回したバンドＶの端部を留めるには、嵌合凹部８２ａ（８２ａ）からストッパ杆８３を予め外しておき、バンドＶの２重になった部分をバンド挿通部８８の解放端からバンド挿通部８８と両バンド巻回部８６，８７との間に挿通させた状態で、バンド挿通部８８及びバンド巻回部８６，８７を回転軸に、両側柱部８２，８２を例えば矢符で示した右回転で回転させることによって、バンド挿通部８８及びバンド巻回部８６，８７の周りにバンドＶを巻回させて、バンドＶを展張させる。
【０００８】
そして、ストッパ杆８３を両側柱部８２，８２の回転方向とは逆の側の嵌合凹部８２ａ（８２ａ）に着脱可能に嵌合させると共に、ストッパ杆８３の係止部８３ａ，８３ａを両側柱部８２，８２の外側面に係止させ、ストッパ杆８３の外側からバンドＶをストッパ杆８３に当接させる。これによって、バンドＶが巻き戻ることを防止すると共に、バンドＶの張力によってストッパ杆８３を嵌合凹部８２ａ（８２ａ）内に圧接させて、バンドＶの端部を留めることができる。
【特許文献１】特開平１０−２２９７６２号公報
【特許文献２】特開２０００−２９７８０３号公報
【発明の開示】
【発明が解決しようとする課題】
【０００９】
しかしながら、このような従来の留具にあっては、ストッパ杆８３を両側柱部８２，８２の嵌合凹部８２ａ（８２ａ）に嵌合させてあるだけあるため、強風でハウスのシートが煽られて、バンドＶに撓みが生じた場合、嵌合凹部８２ａ（８２ａ）からストッパ杆８３が外れて、バンドＶが巻き戻ってしまうという問題があった。
【００１０】
また、農業用ポリオレフィン系のシートを用いるハウスでは、展張したシートとバンドとの間に擦れが生じることを更に抑制すべく、６０ｍｍを超えるより広い幅のバンドＶを適用することが要求されている。この場合、前述した従来の留具にあっては、バンドＶの幅に応じてストッパ杆８３の寸法を長くするが、ストッパ杆８３を長くした場合、ストッパ杆８３の両端を対応する嵌合凹部８２ａ（８２ａ）に嵌合させる作業に手間を要するという問題もあった。
【００１１】
更に、繰り返して使用する際及びバンドＶを締めなおす際に、ストッパ杆８３を開閉させる都度、帯板状のヒンジ部８４が屈曲・伸張されるため、ヒンジ部８４の強度が低下し、留具の寿命が短いという問題もあった。
【００１２】
本発明は、斯かる事情に鑑みてなされたものであって、より幅が広いバンドに適用した場合であっても、ワンタッチで確実にバンドの端部を留めることができ、強風下においても信頼性が高い長寿命の留具を提供する。
【課題を解決するための手段】
【００１３】
請求項１記載の本発明は、適当な距離を隔てて互いに平行に配した両側柱部の一端側に、帯体を挿入する挿入部と前記帯体を巻回させる巻回部とが設けてあり、両側柱部の他端側に前記巻回部に巻回させた帯体の巻き戻りを防止する巻戻防止部が開閉自在に設けてあり、巻戻防止部が開状態で、前記巻回部に帯体の端部及び／又はその近傍を巻回させて、巻戻防止部を閉状態になすことによって、当該帯体の端部を留める留具において、一方の側柱部の他端に設けたヒンジ部に杆状の巻戻防止部の一端が、前記側柱部の長手方向と交わる方向の軸周りに回動自在に軸支してあり、他方の側柱部の他端には、環状体の一部に開口を設けた嵌入部内に前記巻戻防止部の他端部を嵌入させてロックするロック部が設けてあることを特徴とする。
【００１４】
請求項２記載の本発明は、前記嵌入部は、他方の側柱部の他端に所要距離を隔てて立設した両側壁部の先端部にそれぞれ両側壁部の内側へ延出させた延出部を設けてなり、両延出部には嵌入部の底部へ向かう凸部がそれぞれ設けてあり、前記巻戻防止部の他端部は両延出部の間を通過し得る幅寸法になしてあり、この他端部には、前記凸部に係合させる係合部が設けてあることを特徴とする。
【発明の効果】
【００１５】
請求項１記載の本発明では、適当な距離を隔てて互いに平行に配した両側柱部の一端側に、帯体を挿入する挿入部と前記帯体を巻回させる巻回部とが設けてあり、両側柱部の他端側に前記巻回部に巻回させた帯体の巻き戻りを防止する巻戻防止部が開閉自在に設けてあり、巻戻防止部が開状態で、前記巻回部に帯体の端部及び／又はその近傍を巻回させて、巻戻防止部を閉状態になすことによって、当該帯体の端部を留める留具において、一方の側柱部の他端に設けたヒンジ部に杆状の巻戻防止部の一端が、前記側柱部の長手方向と交わる方向の軸周りに回動自在に軸支してあり、他方の側柱部の他端には、環状体の一部に開口を設けた嵌入部内に前記巻戻防止部の他端部を嵌入させてロックするロック部が設けてある。従って、強風でハウスのシートが煽られて、帯体に撓みが生じた場合であっても、ロック部の嵌入部内に嵌入されてロックされた巻戻防止部がロック部から外れることが防止される。
【００１６】
また、より広い幅の帯体に適用すべく、両側柱部間寸法及び巻戻防止部の寸法を長くした場合であっても、その一端がヒンジ部に回動自在に軸支された巻戻防止部を回動させることによって、確実に巻戻防止部の他端部がロック部の嵌入部内に嵌入するため、巻戻防止部をワンタッチで確実にロックすることができる。更に、巻戻防止部は、その一端がヒンジ部に回動自在に軸支されているため、巻戻防止部を繰り返し開閉させても、ヒンジ部の強度が低下することが防止され、留具の寿命が長い。
【００１７】
請求項２記載の本発明では、前記嵌入部は、他方の側柱部の他端に所要距離を隔てて立設した両側壁部の先端部にそれぞれ両側壁部の内側へ延出させた延出部を設けてなり、両延出部には嵌入部の底部へ向かう凸部がそれぞれ設けてあり、前記巻戻防止部の他端部は両延出部の間を通過し得る幅寸法になしてあり、この他端部には、前記凸部に係合させる係合部が設けてあるため、嵌入部の内部に嵌入させた巻戻防止部の他端部を、当該他端部に設けた係合部を嵌入部の何れかの凸部に係合させることによって、簡単にロックすることができる。また、このように巻戻防止部の他端部の係合部を嵌入部の何れかの凸部に係合させて巻戻防止部の他端部をロックすることができるため、帯体の巻回部への巻回方向に拘らず、巻戻防止部の他端部をロックすることができる。
【発明を実施するための最良の形態】
【００１８】
本発明に係る留具は、適当な距離を隔てて互いに平行に配した両側柱部の一端側に、帯体を挿入する挿入部と前記帯体を巻回させる巻回部とが設けてあり、両側柱部の他端側に前記巻回部に巻回させた帯体の巻き戻りを防止する巻戻防止部が開閉自在に設けてあり、巻戻防止部が開状態で、前記巻回部に帯体の端部及び／又はその近傍を巻回させて、巻戻防止部を閉状態になすことによって、当該帯体の端部を留めるようにしてある。そして、一方の側柱部の他端に設けたヒンジ部に杆状の巻戻防止部の一端が、前記側柱部の長手方向と交わる方向の軸周りに回動自在に軸支してあり、他方の側柱部の他端には、環状体の一部に開口を設けた嵌入部内に前記巻戻防止部の他端部を嵌入させてロックするロック部が設けてある。
【００１９】
また、嵌入部は、他方の側柱部の他端に所要距離を隔てて立設した両側壁部の先端部にそれぞれ両側壁部の内側へ延出させた延出部を設けてなり、両延出部には嵌入部の底部へ向かう凸部がそれぞれ設けてあり、前記巻戻防止部の他端部は両延出部の間を通過し得る幅寸法になしてあり、この他端部には、前記凸部に係合させる係合部が設けてある。
【００２０】
以下、本発明の実施例を図面に基づいて詳述する。
【００２１】
図１及び図２は、本発明に係る留具の斜視図であり、図１は後述する巻戻防止ピン５が開いた状態を、また、図２は当該巻戻防止ピン５が閉じた状態を示している。図１及び図２に示した如く、金属製の留具は、当該留具を取り付けるバンド（帯体）の幅寸法に応じた距離を隔てて平行に配した２本の側柱部２，２の一端側近傍の間に、前記バンドを巻回させる巻回杆部６，７を側柱部２，２の長手方向へ、二重にしたバンドの厚さ寸法より少し長い距離を隔てて架設してなり、一方の側柱部２の両巻回杆部６，７間の略中央位置を切欠して、他方の側柱部２の先端部に対向する側柱片部２１を形成すると共に、バンドを入出させる開口９が形成してある。
【００２２】
他方の側柱部２の前記開口９に対向する部分は、両側柱部２，２の外側へ凸な円弧状に曲成してあり、この曲成部２ｂ及び前記両巻回杆部６，７で囲まれる領域は、前記開口９からその内部にバンドを挿入させる挿入部８にしてある。一方の側柱部２の一端部及び側柱片部２１の一端部は、挿入部８の開口９へ突出させて、挿入部８内に挿入したバンドが開口９から外へ突出するのを防止する突出防止凸部２ａ，２１ａにしてある。両突出防止凸部２ａ，２１ａの先端はそれぞれ曲面にしてあり、これによって、バンドを挿入部８へ挿入する際、及びバンドを挿入部８から取出す際に、バンドの表面に疵が生じることを防止してある。
【００２３】
また、他方の側柱部２の一端部及び前記側柱片部２１の他端部はそれぞれ、外側の巻回杆部７から突出させて脚部２２，２２にしてあり、両脚部２２，２２間にバンドが嵌入して、巻回杆部６，７の周りに巻回させるバンドがその幅方向へずれないようにしてある。この脚部２２，２２の先端も曲面にしてあり、両脚部２２，２２の先端がバンドの表面に接触した場合であっても、バンドの表面に疵が生じることを防止してある。
【００２４】
前述した一方の側柱部２の他端にはヒンジ部３が設けてあり、ヒンジ部３には、後述する如くビニルハウスの一側から他側へ展張されたバンドに当接して、巻回杆部６，７の周りに巻回させたバンドの巻き戻りを防止する巻戻防止ピン（巻戻防止部）５の一端が、止ピン（支持軸）３３によって回動自在に軸支されている。また、他方の側柱部２の他端には、前記巻戻防止ピン５の他端部を嵌入させて、当該他端部をロックするロック部４が設けてある。
【００２５】
図３は、図２に示した一方の側柱部２の側面図であり、ヒンジ部３の構造を説明するものである。また、図４は、図２に示した他方の側柱部２の側端面図であり、ロック部４の構造を説明するものである。図３及び図１に示した如く、ヒンジ部３は、環状のヘッド部（支持片部）３１，３１を両ヘッド部３１，３１の中心軸を一致させて、一方の側柱部２の奥行き方向へ所要寸法を隔てて設けてなり、ヒンジ部３の両ヘッド部３１，３１間の底部３２、側柱部２の長手方向と直交する平坦面にしてある。
【００２６】
一方、巻戻防止ピン５の一端には、ヒンジ部３のヘッド部３１より少し小さい外寸であり、両ヘッド部３１，３１の間の寸法より少し薄い厚さの環状基部５１が設けてあり、巻戻防止ピン５の底部を構成する環状基部５１の底部５１ａは平坦面にしてある。そして、環状基部５１をヒンジ部３の両ヘッド部３１，３１の間に嵌入させ、これらヘッド部３１，３１及び環状基部５１内に止ピン３３を貫通させることによって、巻戻防止ピン５を回動自在に軸支してある。このとき、前述した如く環状基部５１の厚さ寸法は、両ヘッド部３１，３１の間の寸法より少し狭くしてあるため、環状基部５１の両側面とヘッド部３１，３１との間には僅かな遊びが生じ、これによって、巻戻防止ピン５の他端が巻戻防止ピン５の長手方向と直交する方向へ揺動し得るようになしてある。
【００２７】
従って、巻戻防止ピン５が閉じた状態の場合、巻戻防止ピン５の環状基部５１の底部５１ａがヒンジ部３の底部３２に当接して、巻戻防止ピン５が側柱部２，２の長手方向と略直交する姿勢で巻戻防止ピン５の回動が停止すると共に、その姿勢で、巻戻防止ピン５がヒンジ部３の底部３２に担持される。
【００２８】
また、図４及び図２に示した如く、ロック部４は、平板片状の側壁部４１，４１を、一方の側柱部２の奥行き方向へ所要寸法を隔てて設けてなり、両側壁部４１，４１の先端部から、側壁部４１，４１の間の内側へ向かってアーチ状に成形した延出部４２，４２を突出させて、前記巻戻防止ピン５の他端部を嵌入させる側面視が矩形略Ｃ字の嵌入部４４になしてある。そして、両延出部４２，４２の先端に、嵌入部４４の底部へ向かう係合凸部４３，４３がそれぞれ設けてある。
【００２９】
一方、巻戻防止ピン５の他端部には、前述した延出部４２，４２の間を通過し得るようにその幅寸法を他の部分の幅寸法より狭くして、前記ロック部４に嵌入係止する係止部５２が形成してある。
【００３０】
図４は、図１に示したロック部４に巻戻防止ピン５の係止部５２が係止している状態を示す拡大側面図である。図４に示した如く、係止部５２は、側面視が縦長長方形状の基部５５を備えており、基部５５の幅寸法はロック部４の延出部４２，４２の間の寸法より少し狭くしてある。基部５５は延出部４２，４２間を通過して嵌入部４４内に嵌入させてあり、嵌入部４４内に嵌入された基部５５の前記延出部４２，４２間に臨む面の両側縁にそれぞれ、適宜長さの壁部５３，５３を立設することによって、両壁部５３，５３の間内を前記係合凸部４３に係合させる係合凹部５４にしてある。巻戻防止ピン５は、嵌入部４４の深さ方向及び幅方向へ僅かに可撓性を有しており、ロック部４の延出部４２，４２間内に係止部５２が挿入するまで回動された巻戻防止ピン５を嵌入部４４の深さ方向及び幅方向へ撓ませることによって、係止部５２の係合凹部５４をロック部４の係合凸部４３，４３の何れか一方に係合させることによって、巻戻防止ピン５がロック部４にワンタッチでロックされるようになっている。
【００３１】
次に、かかる留具を用いてバンドの端部を留める方法について説明する。
【００３２】
図５は、図１に示した留具の使用様態を示す斜視図であり、図中、Ｈはハウスである。ハウスＨは、適宜距離を隔てて互いに平行に立設したアーチ状の複数の骨パイプＢＰ，ＢＰ，…を農業用ポリオレフィン系のシートＳで覆ってなり、該シートＳは、骨パイプＢＰ，ＢＰ，…間に架設したシート止用条材（図示せず）にその一部を係止固定してある。また、ハウスＨの両側下縁には、１又は複数の横パイプＳＰ（ＳＰ）がハウスＨの長手方向の略全領域に亘って前記骨パイプＢＰ，ＢＰ，…に連結固定してある。
【００３３】
１又は複数間隔で骨パイプＢＰ，ＢＰ，…上には、農業用ポリオレフィン製であり１２０ｍｍ程度の幅の帯状のバンド（帯体）Ｖ，Ｖ，…が配置してある。そして、各バンドＶ，Ｖ，…はその端部を、対応する横パイプＳＰ（ＳＰ）に掛け回して各バンドＶ，Ｖ，…の端部近傍の部分に重積させてあり、各重積部分をそれぞれ留具１，１，…に巻回させて、各バンドＶ，Ｖ，…を展張させると共に、各バンドＶ，Ｖ，…の端部を留具１，１，…によって留めてある。
【００３４】
このように、骨パイプＢＰ，ＢＰ，…上にバンドＶ，Ｖ，…を配置した場合、シートＳの相隣る骨パイプＢＰ，ＢＰ，…間の部分が、バンドＶ，Ｖ，…によって変形されず、例えば当該骨パイプＢＰ，ＢＰ，…の適宜位置に凸状部材を配設することによって、シートＳの当該凸状部材より下方の部分の巻き上げ・巻き戻し作業を容易に行なうことができる。
【００３５】
一方、図８に示した如く、骨パイプＢＰ，ＢＰ，…の間に、６０ｍｍ程度の幅のバンドＶ，Ｖ，…を配置して、前同様、横パイプＳＰ（ＳＰ）に掛け回したバンドＶ，Ｖ，…の端部近傍の重積部分をそれぞれ留具１，１，…に巻回させて、各バンドＶ，Ｖ，…を展張させると共に、各バンドＶ，Ｖ，…の端部を留具１，１，…によって留めることもできる。このように、幅が広いバンドＶを用いることによって、農業用ポリオレフィン製のシートＳに対しても、バンドＶとシートＳとの擦れによってシートＳの表面に疵が生じることを可及的に防止できる。
【００３６】
図６は、図５に示したハウスＨの部分拡大斜視図であり、図７は、図６に示した留具１、シートＳ、及び骨パイプＢＰの部分拡大側面図である。なお、両図中、図５に示した部分に対応する部分には同じ番号を付してある。
【００３７】
図６及び図７に示した如く、巻戻防止ピン５を開いた状態で、バンドＶの２重になった部分を留具１の開口９から挿通部８内に挿入させ、その状態で、両巻回杆部６，７を回転軸にして、両側柱部２，２を適宜の方向へ回転させることによって、両巻回杆部６，７の周りにバンドＶを巻回させて、バンドＶを展張させる。
【００３８】
そして、巻戻防止ピン５の係止部５２に設けた係合凹部５４を、両側柱部２，２の回転方向の側、即ち側面視において左回転であれば左側の係合凸部４３に係合させ、巻戻防止ピン５の外側からバンドＶを巻戻防止ピン５に当接させる。これによって、バンドＶが巻き戻ることを防止する。
【００３９】
このように、巻戻防止ピン５の係止部５２を、ロック部４を構成する嵌入部４４内に嵌入させ、係止部５２に設けた係合凹部５４をロック部４に設けた係合凸部４３に係合させることによって、巻戻防止ピン５をロックするようにしてあるため、強風でハウスＨのシートＳが煽られて、バンドＶに撓みが生じた場合であっても、ロック部４の嵌入部４４内に嵌入されてロックされた巻戻防止ピン５の係止部５２がロック部４から外れることが防止される。
【００４０】
また、より広い幅のバンドＶに適用すべく、両側柱部２，２の間の寸法及び巻戻防止部５の寸法を長くした場合であっても、巻戻防止ピン５を回動させることによって、巻戻防止ピン５の係止部５２がロック部４の嵌入部４４内に確実に嵌入するため、巻戻防止ピン５をワンタッチで確実にロックすることができる。更に、巻戻防止ピン５は、その一端がヒンジ部３に回動自在に軸支されているため、巻戻防止ピン５を繰り返し開閉させても、ヒンジ部３の強度が低下することが防止され、留具１の寿命が長い。
【００４１】
ところで、ロック部４による巻戻防止ピン５のロックは、係止部５２に設けた係合凹部５４を嵌入部４４に設けた何れかの係合凸部４３，４３に係合させることによって、簡単に行なうことができる。また、このように巻戻防止ピン５の係合部５２を嵌入部４４の何れかの係合凸部４３，４３に係合させて巻戻防止ピン５の他端部をロックすることができるため、バンドＶの巻回杆部６，７への巻回方向に拘らず、巻戻防止ピン５の他端部をロックすることができる。
【００４２】
更に、ヒンジ部３の両ヘッド部３１，３１間の底部３２平坦面にしてあり、巻戻防止ピン５の環状基部５１の底部５１ａも平坦面にしてあり、巻戻防止ピン５を回動させた場合、環状基部５１の底部５１ａが前記ヒンジ部３の底部３２に当接して、巻戻防止ピン５を閉姿勢で支持するようにしてあるため、簡単な構造で、巻戻防止ピン５の回動を所要の閉姿勢で停止することができる。
【図面の簡単な説明】
【００４３】
【図１】本発明に係る留具の斜視図である。
【図２】本発明に係る留具の斜視図である。
【図３】図２に示した一方の側柱部の側面図である。
【図４】図１に示したロック部に巻戻防止ピンの係止部が係止している状態を示す拡大側面図である。
【図５】図１に示した留具の使用様態を示す斜視図である。
【図６】図５に示したハウスの部分拡大斜視図である。
【図７】図６に示した留具、シート、及び骨パイプの部分拡大側面図である。
【図８】図１に示した留具の他の使用様態を示す斜視図である。
【図９】従来の留具の正面図である。
【図１０】図９に示した留具の使用様態を示す側断面図である。
【符号の説明】
【００４４】
１    留具
２    側柱部
２ａ  突出防止凸部
３    ヒンジ部
４    ロック部
５    巻戻防止ピン
６    巻回杆部
７    巻回杆部
８    挿入部
９    開口
３１    ヘッド部
３２    底部
３３    止ピン
４１    側壁部
４２    延出部
４３    係合凸部
４４    嵌入部
５１    環状基部
５１ａ  底部
５２    係止部
５３    壁部
５４    係合凹部
５５    基部
Ｈ    ハウス
ＢＰ    骨パイプ
ＳＰ    横パイプ
Ｓ    シート
Ｖ    ベルト
【図１】
2006217862.tif 000003
【図２】
2006217862.tif 000004
【図３】
2006217862.tif 000005
【図４】
2006217862.tif 000006
【図５】
2006217862.tif 000007
【図６】
2006217862.tif 000008
【図７】
2006217862.tif 000009
【図８】
2006217862.tif 000010
【図９】
2006217862.tif 000011
【図１０】
2006217862.tif 000012